(57)【要約】【課題】ＳＤ−ＳＤＩ方式またはＨＤ−ＳＤＩ方式を採用する装置間でアナログ放送の補完データを伝送することが可能な補完データ伝送方法を提供する。【解決手段】アナログ放送用の映像信号の垂直帰線期間に重畳される補完データをアナログ／デジタル変換器１２に入力して擬似的にＳＤ−ＳＤＩ方式のフォーマットとなる擬似ＳＤＩデータに変換するようにし、この擬似ＳＤＩデータをマトリクススイッチ１１によりＨＤ−ＳＤＩ方式の本線系とは別の伝送路に伝送し、最終段でインサータ１６により本線系の映像ストリームデータを擬似ＳＤＩデータに置き換えるようにしている。このとき、マトリクススイッチ１１の出力経路に用いたダウンコンバータ１４及びストリーム処理器１５の処理時間に合わせて擬似ＳＤＩデータを遅延器１７で遅延してタイミングを揃える。【選択図】      図１
2010273211.tif 000002
【特許請求の範囲】
【請求項１】
映像ストリームデータを伝送するためのＳＤ(Standard Definition)−ＳＤＩ(Serial Digital Interface)方式またはＨＤ(High Definition)−ＳＤＩ方式を採用する複数の入出力系統の伝送路を切り替えるマトリクススイッチと、このマトリクススイッチの少なくとも一部の入力端子に接続されるアナログ／デジタル変換器と、前記マトリクススイッチの少なくとも一部の出力端子に接続され前記映像ストリームデータに処理を加えて出力するストリーム処理器と、前記マトリクススイッチの前記ストリーム処理器が接続されない出力端子に接続され、入力信号を前記ストリーム処理器の処理に要する時間相当の遅延時間遅延して出力する遅延器と、前記ストリーム処理器の出力を前記遅延器の出力に置き換えて出力する置き換え器とを備えるデータ伝送システムに用いられ、
映像の垂直帰線期間に重畳するべくアナログ放送用の補完データを前記アナログ／デジタル変換器に入力し、当該補完データを擬似的にＳＤ−ＳＤＩ方式のフォーマットとなる擬似ＳＤＩデータに変換し、
前記擬似ＳＤＩデータを前記マトリクススイッチにて前記遅延器に導出させ、
前記置き換え器において、前記遅延器の出力が入力された時点で前記ストリーム処理器の出力を前記遅延器の出力に置き換えることを特徴とする補完データ伝送方法。
【請求項２】
前記補完データは、放送局間制御に必要なネットキューデータであることを特徴とする請求項１記載の補完データ伝送方法。
【請求項３】
前記補完データは、字幕データであることを特徴とする請求項１記載の補完データ伝送方法。
【請求項４】
映像ストリームデータを伝送するためのＳＤ(Standard Definition)−ＳＤＩ(Serial Digital Interface)方式またはＨＤ(High Definition)−ＳＤＩ方式を採用する複数の入出力系統の伝送路を切り替えるマトリクススイッチと、
このマトリクススイッチの少なくとも一部の入力端子に接続され、映像の垂直帰線期間に重畳するべくアナログ放送用の補完データを入力し、当該補完データを擬似的にＳＤ−ＳＤＩ方式のフォーマットとなる擬似ＳＤＩデータに変換するアナログ／デジタル変換器と、
前記マトリクススイッチの少なくとも一部の出力端子に接続され前記映像ストリームデータに処理を加えて出力するストリーム処理器と、
前記マトリクススイッチの前記ストリーム処理器が接続されない出力端子に接続され、入力信号を前記ストリーム処理器の処理に要する時間相当の遅延時間遅延して出力する遅延器と、
前記遅延器の出力が入力された時点で、前記ストリーム処理器の出力を前記遅延器の出力に置き換えて出力する置き換え器と、
前記アナログ／デジタル変換器の出力を前記遅延器に導出するように前記マトリクススイッチを切替制御する切替制御器とを具備したことを特徴とするデータ伝送システム。
【請求項５】
前記補完データは、放送局間制御に必要なネットキューデータであることを特徴とする請求項４記載のデータ伝送システム。
【請求項６】
前記補完データは、字幕データであることを特徴とする請求項４記載のデータ伝送システム。
【発明の詳細な説明】
【技術分野】
【０００１】
この発明は、例えば映像処理システムにおいて、ＳＤ(Standard Definition)−ＳＤＩ(Serial Digital Interface)方式またはＨＤ(High Definition)−ＳＤＩ方式を採用する装置間で映像信号の垂直帰線期間に重畳すべく補完データを伝送する補完データ伝送方法及びデータ伝送システムに関する。
【背景技術】
【０００２】
地上波放送システムにおいて、デジタル放送が普及しており、このようなデジタル放送では、放送局用の機器やシステムとして、アナログ放送対応からデジタル技術の導入による番組制作のための放送局の設備までを含めたデジタル放送対応の移行期にある。この移行期において、アナログ放送とデジタル放送とが並存することになる。なお、デジタル放送の放送局用の機器やシステムは、ＳＤ(Standard Definition)−ＳＤＩ(Serial Digital Interface)方式またはＨＤ(High Definition)−ＳＤＩ方式に準拠するようになされている。
【０００３】
上記デジタル放送では、特に、アナログ放送で実施されているように、映像・音声以外に、字幕データや番組に付随する各種データ、さらにネットキューといったネット放送局間で使用される放送制御データを、ベースバンド映像信号の垂直帰線期間（ＶＢＩ：Vertical Blanking Interval）に補完データとして多重して伝送することも求められている。なお、ネットキューは、放送設備において、ＣＭや番組への差し替え、音声モードの切替タイミングを知らせるために使用される。
【０００４】
ところで、アナログ放送の補完データと、デジタル放送の補完データとでは規格が異なっており、アナログ放送の補完データをＳＤ−ＳＤＩ方式またはＨＤ−ＳＤＩ方式を採用する機器で取り扱うことが困難となる。
【０００５】
なお、この種に関連する従来技術として、特許文献１に、ＳＤフォーマットの番組素材をＨＤフォーマットの番組素材に変換し、ＨＤフォーマットの番組素材をＳＤフォーマットの番組素材に変換する技術が示されている。但し、この特許文献１に記載のものは、アナログ放送の補完データを、ＳＤ−ＳＤＩ方式またはＨＤ−ＳＤＩ方式を採用する機器で取り扱えるようにするものではない。
【先行技術文献】
【特許文献】
【０００６】
【特許文献１】特開２００６−２０３７３８公報。
【発明の概要】
【発明が解決しようとする課題】
【０００７】
以上述べたように、ＳＤ−ＳＤＩ方式またはＨＤ−ＳＤＩ方式を採用する機器では、アナログ放送の補完データを取り扱うことが困難である。
【０００８】
そこで、この発明の目的は、ＳＤ−ＳＤＩ方式またはＨＤ−ＳＤＩ方式を採用する装置間でアナログ放送の補完データを伝送することが可能な補完データ伝送方法及びデータ伝送システムを提供することにある。
【課題を解決するための手段】
【０００９】
上記目的を達成するために、この発明に係る補完データ伝送方法は、映像ストリームデータを伝送するためのＳＤ(Standard Definition)−ＳＤＩ(Serial Digital Interface)方式またはＨＤ(High Definition)−ＳＤＩ方式を採用する複数の入出力系統の伝送路を切り替えるマトリクススイッチと、このマトリクススイッチの少なくとも一部の入力端子に接続されるアナログ／デジタル変換器と、マトリクススイッチの少なくとも一部の出力端子に接続され映像ストリームデータに処理を加えて出力するストリーム処理器と、マトリクススイッチのストリーム処理器が接続されない出力端子に接続され、入力信号をストリーム処理器の処理に要する時間相当の遅延時間遅延して出力する遅延器と、ストリーム処理器の出力を遅延器の出力に置き換えて出力する置き換え器とを備えるデータ伝送システムに用いられ、映像の垂直帰線期間に重畳するべくアナログ放送用の補完データをアナログ／デジタル変換器に入力し、当該補完データを擬似的にＳＤ−ＳＤＩ方式のフォーマットとなる擬似ＳＤＩデータに変換し、擬似ＳＤＩデータをマトリクススイッチにて遅延器に導出させ、置き換え器において、遅延器の出力が入力された時点でストリーム処理器の出力を遅延器の出力に置き換えるようにしたものである。
【００１０】
この構成によれば、アナログ放送用の補完データをアナログ／デジタル変換器に入力して擬似的にＳＤ−ＳＤＩ方式のフォーマットとなる擬似ＳＤＩデータに変換するようにし、この擬似ＳＤＩデータをＳＤ−ＳＤＩ方式またはＨＤ−ＳＤＩ方式の本線系とは別の伝送路に伝送し、最終段で置き換え器により本線系の映像ストリームデータを擬似ＳＤＩデータに置き換えるようにしている。このとき、マトリクススイッチの出力経路に用いたストリーム処理器の処理時間に合わせて擬似ＳＤＩデータを遅延してタイミングを揃えるようにしている。
【００１１】
従って、設備コストを増加させることなく、擬似ＳＤＩデータのフォーマットを利用してＳＤ−ＳＤＩ方式またはＨＤ−ＳＤＩ方式の装置間でアナログ放送用の補完データをスルーさせることができる。また、本線系の映像ストリームデータを擬似ＳＤＩデータに置き換える時のタイミング制御も容易に行えるようになる。
【発明の効果】
【００１２】
この発明によれば、ＳＤ−ＳＤＩ方式またはＨＤ−ＳＤＩ方式を採用する装置間でアナログ放送の補完データを伝送することが可能な補完データ伝送方法及びデータ伝送システムを提供することができる。
【図面の簡単な説明】
【００１３】
【図１】この発明の一実施形態とするＳＤＩ方式を採用するデータ伝送システムの構成を示すブロック図。
【図２】同実施形態のアナログ／デジタル変換器にて生成されるＳＤ−ＳＤＩ方式の信号の例を示す図。
【図３】同実施形態のインサータの制御処理手順を示すフローチャート。
【発明を実施するための形態】
【００１４】
以下、この発明の実施形態について図面を参照して詳細に説明する。  
図１は、この発明の一実施形態とするＳＤＩ方式を採用するデータ伝送システムの構成を示すもので、符号１１はレートフリーのマトリクススイッチである。なお、ここでは説明を簡単にするため、マトリクススイッチ１１の入力チャンネル（系統）数を４チャンネルとし、出力チャンネル（系統）数を２チャンネルとし、各チャンネル入出力はＳＤ−ＳＤＩ方式及びＨＤ−ＳＤＩ方式による映像ストリームデータであるものとする。
【００１５】
この実施形態では、マトリクススイッチ１１の第１入力チャンネルにアナログ／デジタル変換器（Ａ／Ｄ）１２を接続し、第２入力チャンネルにアップコンバータ（Ｕ／Ｃ）１３を接続している。また、マトリクススイッチ１１の第１出力チャンネルをＨＤ−ＳＤＩ方式による本線系とし、第２出力チャンネルをＳＤ−ＳＤＩ方式による系としている。
【００１６】
本線系には、ダウンコンバータ（Ｄ／Ｃ）１４、ストリーム処理器（ＮＥＴ−ＲＸ）１５及びインサータ１６が設けられる。また、ＳＤ−ＳＤＩ方式による系には、遅延器（ＤＬ）１７及び補完データ切替スイッチャー１８が設けられる。
【００１７】
アナログ／デジタル変換器１２は、アナログ放送信号を擬似的にＳＤ−ＳＤＩ方式のデータ（以下、擬似ＳＤＩデータと称する）に変換するもので、擬似ＳＤＩデータのうち補完データをマトリクススイッチ１１に出力し、補完データ以外の映像ストリームデータをアップコンバータ１３に出力する。アップコンバータ１３は、入力されたＳＤ−ＳＤＩ方式の映像ストリームデータをＨＤ−ＳＤＩ方式の映像ストリームデータに変換してマトリクススイッチ１１に出力する。
【００１８】
ダウンコンバータ１４は、ＨＤ−ＳＤＩ方式の映像ストリームデータをＳＤ−ＳＤＩ方式の映像ストリームデータに変換する。ストリーム処理器１５は、ＳＤ−ＳＤＩ方式の映像ストリームデータに対し処理を加えて出力する。この処理としては、例えば、任意のビットレートの映像ストリームデータを本システムで要求されるビットレートに変換したり、現用系と予備系を切り替えるものがある。また、ストリーム処理器１５は、例えばネットキューデータの付け替えも行っている。
【００１９】
インサータ１６は、ストリーム処理器１５の出力を補完データ切替スイッチャー１８の出力に置き換えて出力する。このインサータ１６の出力は、例えば番組ネット回線を介して他の放送局に伝送される。
【００２０】
遅延器１７は、マトリクススイッチ１１の出力をダウンコンバータ１４及びストリーム処理器１５に要する処理時間遅延して補完データ切替スイッチャー１８に出力する。補完データ切替スイッチャー１８は、ＡＰＣ（自動番組送出制御装置）１９からの制御でストリーム処理器１５の出力と遅延器１７の出力とを選択的に導出する。
【００２１】
上記ＡＰＣ１９は、マトリクススイッチ１１及び補完データ切替スイッチャー１８に対し、オペレータによる指定入力操作による切替制御情報に従って任意の入出力チャンネル間を接続させる。
【００２２】
上記構成において、以下にその処理動作を説明する。  
例えば、キー局から番組ネット回線を介してアナログ放送信号が本システムに送られてきたとする。そうすると、アナログ放送信号は、アナログ／デジタル変換器１２により擬似ＳＤＩデータに変換される。この擬似ＳＤＩデータのうち、補完データはマトリクススイッチ１１により遅延器１７を設けた系へ導出され、映像ストリームデータはアップコンバータ１３でＨＤ−ＳＤＩ方式の映像ストリームデータに変換され、マトリクススイッチ１１により本線系へ導出される。
【００２３】
図２は、上記アナログ／デジタル変換器１２で生成される補完データの例を示すもので、図２（ａ）は一般のＳＤ−ＳＤＩ方式の伝送フォーマット、図２（ｂ）は補完データを重畳したアナログ放送信号、図２（ｃ）はアナログ放送信号の補完データをＳＤ−ＳＤＩ方式に変換した信号である。
【００２４】
図２（ａ）に示すように、ＳＤ−ＳＤＩ方式の信号のヘッダは可変長で、固定パターンの開始コードから始まり、映像信号に重畳するべくライン情報及びパケット長を表す情報が存在する。この補完データがネットキューデータである場合、ライン情報は１９ライン、２０ライン、２８２ライン及び２８３ラインを表す。一方、補完データが字幕データである場合、ライン情報は１８ライン及び２８１ラインを表す。また、パケットデータ部も可変長で、ここには補完データそのものが存在する。
【００２５】
上記アナログ／デジタル変換器１２では、図２（ｂ）のアナログ放送信号をデジタル信号に変換し、図２（ｃ）に示すようにヘッダに例えば音声信号の波形データを挿入した擬似的なＳＤ−ＳＤＩ方式の信号に生成する。
【００２６】
このようにして生成された擬似ＳＤＩデータは、遅延器１７及び補完データ切替スイッチャー１８を介してインサータ１６に供給される。なお、本線系にて例えばネットキューデータを出力する場合があるため、補完データ切替スイッチャー１８にて本線での割り込み信号か遅延器１７からの擬似ＳＤＩデータかをＡＰＣ１９にて自動制御を行う。
【００２７】
ところで、ダウンコンバータ１４では、ＨＤ−ＳＤＩ方式の映像ストリームデータを処理するために時間がかかるので、処理を実行すると他の経路との間でタイミング関係がくずれてしまうことになる。そこで、本発明では、ＳＤ−ＳＤＩ方式による系に遅延器１７を介在し、遅延器１７の遅延時間をダウンコンバータ１４及びストリーム処理器１５の処理に要する時間に設定するようにして、インサータ１６における本線系の映像ストリームデータと擬似ＳＤＩデータとの入力タイミングを揃えるようにした。
【００２８】
図３は、インサータ１６の制御処理手順を示すフローチャートである。  
まず、インサータ１６は、補完データ切替スイッチャー１８からの擬似ＳＤＩデータ入力の有無を監視し（ステップＳＴ３ａ）、擬似ＳＤＩデータ入力があった場合には（Ｙｅｓ）、本線系の映像ストリームデータに代えて擬似ＳＤＩデータを出力し（ステップＳＴ３ｂ）、擬似ＳＤＩデータ入力がない場合には（Ｎｏ）、本線系の映像ストリームデータをそのまま出力する（ステップＳＴ３ｃ）。
【００２９】
ここで、補完データがネットキューデータである場合には、映像信号の１９ライン、２０ライン、２８２ライン及び２８３ラインに重畳されることになり、字幕データである場合には、映像信号の１８ライン及び２８１ラインに重畳される。
【００３０】
以上のように上記実施形態では、アナログ放送用の映像信号の垂直帰線期間に重畳される補完データをアナログ／デジタル変換器１２に入力して擬似的にＳＤ−ＳＤＩ方式のフォーマットとなる擬似ＳＤＩデータに変換するようにし、この擬似ＳＤＩデータをマトリクススイッチ１１によりＨＤ−ＳＤＩ方式の本線系とは別の伝送路に伝送し、最終段でインサータ１６により本線系の映像ストリームデータを擬似ＳＤＩデータに置き換えるようにしている。このとき、マトリクススイッチ１１の出力経路に用いたダウンコンバータ１４及びストリーム処理器１５の処理時間に合わせて擬似ＳＤＩデータを遅延器１７で遅延してタイミングを揃えるようにしている。
【００３１】
従って、設備コストを増加させることなく、ＳＤ−ＳＤＩ方式のフォーマットを利用してＨＤ−ＳＤＩ方式の本線系をスルーさせてアナログ放送用の補完データを伝送することができる。また、インサータ１６において、本線系の映像ストリームデータを擬似ＳＤＩデータに置き換える時のタイミング制御も容易に行えるようになる。
【００３２】
なお、上記実施形態では、ネットキューデータ及び字幕データを映像信号の垂直帰線期間に重畳する例について説明したが、ネットキューデータ及び字幕データのうちの１つであってもよく、またネットキューデータ及び字幕データ以外のものであってもよい。
【００３３】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００３４】
１１…マトリクススイッチ、１２…アナログ／デジタル変換器、１３…アップコンバータ、１４…ダウンコンバータ、１５…ストリーム処理器、１６…インサータ、１７…遅延器、１８…補完データ切替スイッチャー、１９…ＡＰＣ。
【図１】
2010273211.tif 000003
【図２】
2010273211.tif 000004
【図３】
2010273211.tif 000005